Podtech/llm-jp-corpus-v4-ja_patent huggingface dataset:
(57)【要約】【目的】  園芸場において園芸用支柱を用いて手軽にしかも身近に測定を行えることを提供する。【構成】  鋼管パイプにして合成樹脂を被覆した園芸用支柱において、土中に挿入する尖端部の方向を基準端として、該基準端から所望する規定間隔ごとに尺度目盛が識別可能となる表示が形成されているとともに、識別可能となる表示は鋼管パイプに合成樹脂を被覆した外周にリング状に形成されており、識別可能となる表示箇所の近傍には判読可能な印字が表示されて成る園芸用支柱である。【選択図】  図１
0003112464.tif 000002
【実用新案登録請求の範囲】
【請求項１】
鋼管パイプにして合成樹脂を被覆した園芸用支柱において、土中に挿入する尖端部の方向を基準端として、該基準端から所望する規定間隔ごとに尺度目盛が識別可能なる表示が形成されていることを特徴とする園芸用支柱。
【請求項２】
識別可能となる表示は、合成樹脂を被覆した外周にリング状に形成されていることを特徴とする請求項１記載の園芸用支柱。
【請求項３】
識別可能となる表示箇所の近傍には判読可能な印字が表示されていることを特徴とする請求項１または請求項２記載の園芸用支柱。
【考案の詳細な説明】
【技術分野】
【０００１】  本考案は、園芸場で使用される支柱において測長が手軽にしかも身近に行えることに関する。
【背景技術】
【０００２】  従来の園芸用支柱は園芸場において植物の倒れを防止するための添木として使用されており、該支柱には植物との係止性を高めるために種々の突起物が施されていることは周知の通りである。【０００３】  また、繊維補強プラスチック製の農業用支柱に尺度目盛を付したものが開示されている。
（例えば、特許文献１参照）【０００４】  園芸場での実際の作業では、畝幅の設定、植物の種および苗の植付け間隔、土中への支柱挿入の深さ、土中への支柱立設の間隔、土中への立設された支柱ごとの固定梁の設定、植物の成長の記録等の殆どは人による目分量で行われているのが現状であり、正確な長さを要する場合には専用のスケール等を利用する必要があるが、一般的には高度な長さの精度は必要としない傾向がある。その上園芸場でのスケール等の携帯は作業性が悪く、スケールそのものも高価なうえに破損および紛失する惧れが多分にある。【０００５】  また、園芸用支柱は園芸場等の悪い環境に長日数において設置されるため材料等には耐久性が維持されておれば材質を必要以上にあげると製造コストアップに繋がり使用者に対して経費負担の増長となる。そのため材料は従来から使用されている鋼管パイプに合成樹脂を被覆した支柱等で充分である。【０００６】
【特許文献】  実開昭６０−１９１１５８
【考案の開示】
【考案が解決しようとする課題】
【０００７】  そこで、本考案は上記の従来からある支柱をさらに改良し手軽に測長ができ、しかも低価格のコストで製作可能であることを目的とする。
【課題を解決するための手段】
【０００８】  上記の目的を達成するために本考案は、鋼管パイプにして合成樹脂を被覆した園芸用支柱において、土中に挿入する尖端部の方向を基準端として、該基準端から所望する規定間隔ごとに尺度目盛が識別可能となる表示が形成されている園芸用支柱である。【０００９】  さらに、識別可能となる表示は鋼管パイプに合成樹脂を被覆した外周にリング状に形成されており、また識別可能となる表示箇所の近傍には判読可能な印字が表示されていることを特徴とする園芸用支柱である。
【考案の効果】
【００１０】  本考案の園芸用支柱を用いれば、園芸場での実際の作業では、畝幅の設定、植物の種および苗の植付け間隔、土中への支柱挿入の深さ、土中はの支柱立設の間隔、土中への立設された支柱ごとの固定梁の設定、植物の成長の記録等を高価なスケールを用いることなく、手軽に測長でき、しかも低価格にて製作可能であるため広範に亘って使用され、とくに家庭菜園が盛んに行われている昨今需要が高まることは必然である。
【考案を実施するための最良の形態】
【００１１】  そこで本考案の実施例の最良の形態の一例を図面に基づいて説明すると、図１は本考案の園芸用支柱の斜視図、図２は本考案の園芸用支柱の一部拡大図であり、図３は本考案の園芸用支柱の拡大断面図である。【００１２】  図において、鋼管パイプ（２）に合成樹脂（３）を被覆した園芸用支柱（１）の土中に挿入する尖端部（６）を基準端として規定の間隔を１０ｃｍごとに尺度目盛が識別可能な幅略５ｍｍの赤色表示リング（４）を円周状に形成し、該表示リング（４）の近傍である箇所（図２では表示リング（４）の右側）に略１０ｍｍ平方の黒色の印字（５）を円周に３箇所１０、２０、３０、…と表示するものである。【００１３】  なお、上記実施の形態において、規定間隔を１０ｃｍごとに尺度目盛を形成したがこれに限定されず５ｃｍでもよく植物係止用突起が竹節状であれば尺度目盛用表示と重複することは勿論有り得る。【００１４】  また表示リンクを略５ｍｍの赤色としたが園芸用支柱の使用条件によっては幅が略１０ｍｍで色も黄色でもよく幅及び色にこだわることはなく該色に蛍光塗料を含有すれば一層識別が鮮明になり利用価値の高いものとなる。【００１５】  また、印字も略１０ｍｍ平方の黒色を円周に３箇所に表示したが、判読が明確に認識されれば大きさ色及び個数に限定されるものではない。【００１６】  以上の実施例は、本考案を説明するためのもので、本考案の請求項を限定するものではなく、本考案に基づきなしうる細部の修飾あるいは改変はいずれも本考案の請求範囲に属するものとする。
【図面の簡単な説明】
【００１７】
【図１】本考案の園芸用支柱の斜視図
【図２】本考案の園芸用支柱の一部拡大図
【図３】本考案の園芸用支柱の拡大断面図
【符号の説明】
【００１８】    １  園芸用支柱
２  鋼管パイプ
３  合成樹脂
４  表示リング（赤色）
５  印字（黒色）
６  尖端部
７  突起
【図１】
0003112464.tif 000003
【図２】
0003112464.tif 000004
【図３】
0003112464.tif 000005
(57)【要約】【目的】幼児から高齢者まで楽しめる、室内ゲ−ムを提供する。【構成】交互に円盤状の駒（１）を指で弾いて動かし  盤（５）の上から相手の駒（１）を全て落とせば勝ちとし  駒（１）の中に重い大将駒（４）副将駒（３）を設け、盤（５）上に障害物を設けた事を特徴とする。【選択図】図１
0003112468.tif 000002
【実用新案登録請求の範囲】
【請求項１】
（イ）中が空洞で円盤状の駒（１）を複数設ける。
（ロ）駒（１）の内底に鉄板（２）を入れた副将駒（３）を設ける。
（ハ）駒（１）の内底に鉄板（２）を２枚入れた大将駒（４）を設ける。
（ニ）敵と味方で色違いの駒（１）、副将駒（３）、大将駒（４）を同数設ける。
（ホ）長方形で平らな盤（５）を設ける。
（ヘ）盤（５）に敵、味方の駒（１）、副将駒（３）、大将駒（４）の配置マ−ク（６）、摩擦部分（７）、ゆるやかな丘状の部分（８）を設ける。
以上の構成からなるゲ−ム用品。
【考案の詳細な説明】
【考案の詳細な説明】
【産業上の利用分野】
【０００１】この考案は室内で行うゲ−ムである。
【背景技術】
【０００２】従来行われているゲ−ムとしては、おはじきや硬貨を指で弾く遊びがある。
【考案が解決しようとする課題】
【０００３】これは、次のような欠点があった。
（イ）おはじきや硬貨は小さくて薄く、幼児や高齢者には扱いにくく、乳幼児が誤飲する恐れがある。
（ロ）駒が弾かれる音や、はね飛ぶ爽快感に欠ける。
（ハ）単一の重さや形の駒同士のゲ−ムで興味がすぐ薄れる。
（ニ）盤を用いないので相手の駒との位置関係の把握や弾く強さなど頭脳的なゲ−ムとなり難い。
（ホ）おはじきとは駒としての働きよりも工芸的である事が重視され現在手に入れ難い。
本案はこれらの欠点を除く為になされたものである。
【課題を解決するための手段】
【０００４】中が空洞で円盤状の駒（１）を複数設け、駒（１）の内底に重りの鉄板（２）を入れた副将駒（３）を設け、更に、駒（１）の内底に鉄板（２）を２枚入れた大将駒（４）を設ける。色違いの駒（１）副将駒（３）、大将駒（４）を敵、味方同数設ける。次に、長方形で平らな盤（５）を設け、盤（５）上に駒（１）、副将駒（３）、大将駒（４）の配置マ−ク（６）、摩擦部分（７）、ゆるやかな丘部分（８）を設ける。
本考案は以上の構成によりなる、室内用ゲ−ム用品である。
【作用】
【０００５】本考案のパコ−ンファイトを使用する場合は次のようになる。
先ず、室内の平らな床、畳の上又はテ−ブルの上に盤（５）を広げ駒（１）、副将駒（３）、大将駒（４）を、配置マ−ク（６）上に味方、敵に分けて並べる。先攻、後攻を決めて交互に駒（１）、副将駒（３）、大将駒（４）のうち１コを指で弾いて動かし、相手方の駒（１）、副将駒（３）、大将駒（４）を、味方の駒（１）、副将駒（３）、大将駒（４）で盤（５）外に弾き出す。弾き出された駒（１）、副将駒（３）、大将駒（４）は使用出来ず他の駒（１）副将駒（３）、大将駒（４）を使い戦う。駒（１）、副将駒（３）大将駒（４）が盤（５）上に無くなれば負けとする。勝った方は残った駒（１）を１点、副将駒（３）を２点、大将駒（４）を３点と計算し、合計したものを勝点とする。次に敵、味方を入れかえ、同じ様に対戦し、勝敗を争い、勝点を計算し、より勝点の多い方がゲ−ムに勝ったものとする。
【実施例】
【０００６】以下本考案の実施例について説明する。
（イ）中が空洞で円盤状の駒（１）を複数設ける。
（ロ）駒（１）の内底に鉄板（２）を入れた副将駒（３）を設ける。
（ハ）駒（１）の内底に鉄板（２）を２枚入れた大将駒（４）を設ける。
（ニ）敵、味方で色違いの駒（１）、副将駒（３）、大将駒（４）を同数設ける。
（ホ）長方形で平らな盤（５）を設ける。
（ヘ）盤（５）上に敵、味方の駒（１）、副将駒（３）、大将駒（４）の配置マ−ク（６）、摩擦部分（７）、丘部分（８）を設ける。
本考案は以上の構成であり、使用する時は、室内の平らな床、畳の上、机の上などに盤（５）を広げ、配置マ−ク（６）の上に駒（１）、副将駒（３）、大将駒（４）を置く。先攻、後攻を決め、敵、味方交互に自分の駒（１）を弾いて、相手の駒（１）を盤（５）外に弾き出す。弾いた駒（１）は相手の駒（１）に正面から当たれば、相手の駒（１）を弾き、自分の駒（１）がその場に残るが、重さの異なる副将駒（３）や大将駒（４）では、自分の駒（１）の方が飛ばされる。反対に、重い副将駒（３）や大将駒（４）で軽い駒（１）を弾く場合は少ない力で済む。更に、摩擦部分（７）を通過する場合は、弾いた駒（１）の速度がおちる。又、丘部分（８）を通過する場合は軌道が直線でなく凸凹し、曲がる。ゲ−ムを続けてどちらかの駒（１）が盤（５）上から全て落とされれば負けとなり、勝った方は残った駒（１）を１点、副将駒（３）を２点、大将駒（４）を３点とし、合計を勝点とする。次に、もう一度敵、味方の駒（１）の位置を逆にしてゲ−ムを始め、ゲ−ムが終われば勝点を計算する。勝者が両方のゲ−ムを勝てば、勝点の計算は必要ないが、勝敗が交互であれば勝点の差で勝敗を決める。
【考案の効果】
【０００７】（イ）小さい力で済むので幼児から高齢者まで参加出来る。
（ロ）テレビゲ−ムと違い、対戦相手が人であり、コミュニケ−ションがはかれる。
（ハ）指先を動かす事が頭の働きを良くする。
（ニ）駒（１）が当たる時の音、弾き飛ばす感触に快感がある。
（ホ）１コの駒（１）で複数の駒（１）を当てたり、自軍の駒（１）を後ろから当て、前方へ送る等のより高度の作戦が考えられる。
（ヘ）集中力を高められる。
（ト）単純な構造で長く使用できる。
（チ）駒（１）の組み合わせや盤（５）を複雑にすることでゲ−ム内容を単純なものから、複雑なものにまで変化出来る。
（リ）駒（１）の上面にキャラクタ−を印刷すればより興味をひく。
（ヌ）親と子、高齢者と孫でも対戦出来るゲ−ムである。
【図面の簡単な説明】
【図１】本考案の実施例図である。
【図２】本考案の副将駒（８）の斜視破断図である。
【符号の説明】
（１）駒        （２）鉄板      （３）副将駒      （４）大将駒
（５）盤        （６）配置マ−ク（７）摩擦部分    （８）丘部分
【図１】
0003112468.tif 000003
【図２】
0003112468.tif 000004
(57)【要約】【課題】パチンコ台の釘の間隔や傾斜を客観的に認識する簡易計測器を提供する。【解決手段】透明な樹脂あるいは、プラスチックのホルダーに気泡管や目盛を付け、水平器と定規を一体化し、容易に計測できる簡易計測器である。【選択図】    図１
0003112470.tif 000002
【実用新案登録請求の範囲】
【請求項１】
幅１１ｍｍの透明な樹脂またはプラスチックのホルダーの中に気泡管を埋め込み、このホルダーの中央部に直径１１ｍｍの円と、この円の中心で直角に交わる十文字方向の直線にそれぞれ目盛をつけ、さらにその延長線が交わる外枠の辺に交点を０とした定規を目盛った一体型の携帯簡易計測器。
【考案の詳細な説明】
【技術分野】
【００１】この考案は、誰でも簡単に目の錯覚に惑わされずパチンコ台の釘の傾向を知ることができるものである。
【背景技術】
【００２】従来は専用の計測器はなく、ほとんど目測をしていた。
【考案の開示】
【考案が解決しようとする課題】
【００３】この計測器を使用することにより目の錯覚を抑え、客観的に認識できるようにする。
【課題を解決するための手段】
【００４】定規と水平器により、釘の間隔や方向、台の傾斜が認識できる。
【考案の効果】
【００５】大きさも小さくキーホルダーにも使え、水平器と定規の機能を備え、目の錯覚を抑えた客観的な認識ができる機器である。
【考案を実施するための最良の形態】
【００６】以下本考案の実施形態について説明する。
（イ）幅１１ｍｍ。（ロ）円と中心交差直線上の目盛。（ハ）気泡管。
（ニ）外枠辺の目盛。以上を１つの透明なホルダーに組入れる。
【図面の簡単な説明】
【００７】
【図１】本考案の斜視図
【図２】本考案の側面図
【符号の説明】
【００８】１    本考案本体の幅  １１ｍｍ
２    円と中心交差直線上の目盛
３    気泡管
４    外枠目盛
【図１】
0003112470.tif 000003
【図２】
0003112470.tif 000004
(57)【要約】      （修正有）【課題】飲料水の水を、活性化させ其の味を、健康増進と飲料水の良好且つ快適な関係を求めた水を、更に美味しくする活水器を提供する。【解決手段】本来水に含まれ、人体に必要な各種ミネラル成分を、飲料水として良好且つ快適に体内に取り込めるよう、活水器内部充填組成体に、リチアトルマリン、医王石、麦飯石、モンモリロナイト、リモナイト、黒曜石、ゼオライト、マグネタイト、二価三価鉄塩珊瑚、瑪瑙、水晶、シリカブラック、ダイヤモンド、−イオンセラミックス、プラチナ、酸化チタン、銀活性炭、竹炭等の層を、活水器内部充填組成体に有し、更に微生物電極を内蔵して微弱電流を流すことで水の酸化還元電位をマイナスレベルまでコントローる出来るようにした。【選択図】図１
0003112431.tif 000002
【実用新案登録請求の範囲】
【請求項１】
当該発明は、給水や水槽等の水質を活性化するための活水器であって、該活水器は機能性イオン発生セラミックス乃至強力磁性体希土類系乃至フェライト系若しくは希土類プラス、フェライトのハイブリット磁石を特徴とする、活水器内部充填組成体を用いて、水乃至水溶物質のゼーター電位に作用し酸化還元電位を低下する作用を生かす、更に水質活性を給水管内面から透過するようにしたことを特徴とする活水器。
【請求項２】
本発明は、活水器内部充填組成体に、銀活性炭乃至除菌乃至抗菌セラミックスを用いた、「請求項１」の水質活性を給水管の内面から透過するようにしたことを特徴とする活水器。
【請求項３】
本発明は、、活水器内部充填組成体に、希土類焼結磁性体乃至天然鉱石低レベル放射性物質、ラジウム、ゲルマニウム等を、利用範囲で法規制レベルの３７０ベクレル以内を組成体としホルミシス効果を有し、活水機能性を更に向上させた「請求項１」、「請求項２」の水質活性を給水管の内面から透過するようにしたことを特徴とする活水器。
【請求項４】
本発明は、、活水器内部充填組成体にリチアトルマリン、医王石、水晶、モンモリロナイト、リモナイト、麦飯石、ゼオライト、マグネタイト、黒曜石、二価三価鉄塩珊瑚、瑪瑙、シリカブラック、ダイヤモンド、−イオンセラミックス、プラチナ、酸化チタン、銀活性炭、竹炭等の層を活水器内部充填組成体に有し、更に微生物電極を内蔵して微弱電流を流すことで水の酸化還元電位をマイナスレベルまでコントローる出来るようにした「請求項３」の水質活性を給水管の内面から透過するようにしたことを特徴とする活水器。
【考案の詳細な説明】
【技術分野】
【０００１】当該発明は、、給水や水槽等の水質を活性化するための活水器であって、多種類の鉱石乃至セラミックス乃至宝石乃至金属を使用した、水質の浄化及び活性化を図る装置で活水器に関する。
【背景技術】
【０００２】従来の活水器には、大まかに分けると以下の４種類がある。【０００３】活性炭を使った、水溶分中の有害物質の吸着除去のみを目的としたもの。【０００４】活性炭乃至セラミックスや２，３種類の鉱石を加えて水質の向上を目的としたもの。【０００５】磁力線を使った、水溶分中の有機物の表面電位に作用して、水質の向上を目的としたもの。【０００６】水を電気分解し、酸性水乃至アルカリイオン化させた、健康増進を目的としたもの。
【考案が解決しようとする課題】
【０００７】水道水は、衛生的で飲料として使用する健康維持に必要不可欠のものである。然し、カルキ臭さがありトリハロメタン等を生成する前駆物質や、身体に良くない活性酸素が含まれている等、味の良くない地域があることが欠点となっている。そのため、従来から人間に於いて多種多様の浄化活水方法が提案されている。それは飲料水の水を、活性化させ其の味を、健康増進と飲料水の良好且つ快適な関係を求めた水を、更に美味しくする活水器を提供することを目的とする。
【課題を解決するための手段】
【０００８】飲料水の水を、活性化させ其の味を、マイルド化させるために、今般、−イオン化処理が注目されている、−イオンは人体に取り込むと、各種の機能を低下させる活性酸素の持つ機能を抑え、新陳代謝を活発にする為に、健康を維持できることは広く知られている。
【０００９】人体は凡そ６０兆の細胞で構成され、その７０％が水分であるといわれ、其の体液の流れを速やかに促し、健康増進と飲料水の良好且つ快適な関係を求めた水を、更に美味しくするには−イオン乃至各種鉱石乃至セラミックス乃至磁性体等により、ミネラルの溶出を促し長期間飲用し体のミネラルバランスを整える必要がある。
【考案の効果】
【００１０】当該発明は、本来水に含まれ、人体に必要な各種ミネラル成分を、飲料水として良好且つ快適に体内に取り込めるよう、活水器内部充填組成体に、リチアトルマリン、医王石、麦飯石、モンモリロナイト、リモナイト、黒曜石、ゼオライト、マグネタイト、二価三価鉄塩珊瑚、瑪瑙、水晶、シリカブラック、ダイヤモンド、−イオンセラミックス、プラチナ、酸化チタン、銀活性炭、竹炭等の層を、活水器内部充填組成体に有し、更に微生物電極を内蔵して微弱電流を流すことで水の酸化還元電位をマイナスレベルまでコントローる出来るようにした「
【請求項３】
」の水質活性を給水管の内面から透過するようにしたことを特徴とした他、各種ミネラルを含み良好且つ快適な飲料水を生成する活水器であることを奏する。
【実施例１】
【００１１】図１は、本考案装置の１実施例であり当該発明を表現したもので下記の例によって本発明が実施例だけに限定される物ではない。
【図面の簡単な説明】
【図１】本考案装置の１実施例を示した斜視図である。
【符号の説明】
▲１▼  脚          ▲２▼  ドレン          ▲３▼  磁石          ▲４▼  下部蓋          ▲５▼  アクリル          ▲６▼  フランジ付パイプ          ▲７▼  ガスケット          ▲８▼  酸化チタン          ▲９▼  麦飯石          ▲１０▼  モンモリロナイトセラミックス          ▲１１▼  銀活性炭          ▲１２▼  上部蓋          ▲１３▼  磁石          ▲１４▼  内部目視窓          ▲１５▼  固定用ボルトナット          ▲１６▼  表面磁束１２，０００Ｇ磁石（微生物電極も可）
【図１】
0003112431.tif 000003
(57)【要約】      （修正有）【課題】洗浄剤の容器本体への収納が容易であり，浴槽内の水を速やかに容器本体に入れることができ，かつ洗浄剤を風呂釜内に確実に送り込むこと。【解決手段】伸縮自在の蛇腹状の容器本体と，その一端に設けたノズルと，他端に設けた開口部と，該開口部を覆う導水孔を有する蓋と，蓋と開口部との間に存する弁とにより構成する。【選択図】図２
0003112786.tif 000002
【実用新案登録請求の範囲】
【請求項１】
伸縮自在の蛇腹状の容器本体と，その一端に設けたノズルと，他端に設けた開口部と，該開口部を覆う導水孔を有する蓋と，蓋と開口部との間に存する弁とからなることを特徴とする風呂釜洗浄用容器。
【請求項２】
容器本体は全体が円筒形の伸縮自在の蛇腹状であり，ノズルを設けた端部は風呂釜の導水管に適合するよう平面状に構成され，他端は容器本体よりも直径の小さな円筒形であり，その先端に開口部が設けられていることを特徴とする請求項１記載の風呂釜洗浄用容器。
【考案の詳細な説明】
【技術分野】
【０００１】
本考案は風呂釜内の汚れを洗浄する洗浄剤を収納し，使用時に洗浄剤を風呂釜内に送り込む風呂釜洗浄用容器に関するものである。
【背景技術】
【０００２】
従来から洗浄剤を伸縮自在の蛇腹状容器に入れ，これをノズルから風呂釜内に送り込んで洗浄を行う容器は多く考案されている。
【０００３】
例えば洗浄剤を風呂釜内に留まるようにするため，吐出口の周囲に環状吸盤を取り付けた構造の考案や，洗浄剤を充填した蛇腹型容器本体と連通孔を一体に構成し，該連通孔を開閉するリングを回動自在に嵌着するようにした考案などが存する。
【特許文献１】特開２００４−１７６９３７
【特許文献２】特開２００４−２９２０４８
【考案の開示】
【考案が解決しようとする課題】
【０００４】
本考案の目的は，洗浄剤の容器本体への収納が容易であること，容器本体内に浴槽内の水を速やかに入れることができること，さらに容器本体内の水と洗浄剤を確実にノズルから風呂釜内に送ることができるようにすることであり，これらの目的を達成することにより，風呂釜の洗浄を確実に行うことができるものである。
【課題を解決するための手段】
【０００５】
本考案は，伸縮自在の蛇腹状の容器本体と，その一端に設けたノズルと，他端に設けた開口部と，該開口部を覆う導水孔を有する蓋と，蓋と開口部との間に存する弁とにより，前記目的を達するものである。
【考案の効果】
【０００６】
本考案では，容器本体１に開口部３があるため，蓋４と弁６を外せば容易に洗浄剤を容器本体１に入れることができ，使用時に容器本体１を伸縮させて洗浄剤と水又は湯を風呂釜に送り込む際，蓋４と開口部３との間に存する弁６の作用により容器本体１内の洗浄剤と水又は湯が逆流することがなく，風呂釜内に送り込むことができるものであり，確実な洗浄を行うことができる風呂釜洗浄用容器を提供するものである。
【考案を実施するための最良の形態】
【０００７】
図１は本考案の側面図，２は同断面図であり，１は容器本体，２はノズル，３は開口部，４は蓋である。
【０００８】
容器本体１は円筒形で伸縮自在の蛇腹状をなしており，一端は風呂釜の導水管に適合するよう平面状に構成され，その中央にノズル２が存する。
【０００９】
容器本体１の他端は容器本体１よりも直径の小さな円筒形７であり，その先端が開口部３となり，その開口部３の周囲はねじ部となり，そのねじ部に蓋４がねじ込まれる。蓋４は中央に導水孔５が設けられ，蓋４と開口部４との間には弁６が存する。
【００１０】
なお，洗浄剤は蓋４，弁６を外して開口部４から入れることができ，この場合ノズル２はシールなどで閉じられている。
【００１１】
本考案の使用状態は，浴槽内に風呂釜の導水管よりも上に水又は湯が入っていることを確認した後，容器本体１をノズル２が上になるように沈め，蓋４の導水孔５から容器本体１内に水又は湯を入れ，ノズル２を導水管に併せて１０回程度容器本体を伸縮させて，洗浄剤を風呂釜に送り込んで行うものである。この場合弁６は浴槽の水又は湯を容器本体内に入れる方向にのみ作用するものであることは当然である。
【図面の簡単な説明】
【００１２】
【図１】本考案の風呂釜洗浄用容器の側面図
【図２】同断面図
【符号の説明】
【００１３】
１・・・容器本体
２・・・ノズル
３・・・開口部
４・・・蓋
５・・・導水孔
６・・・弁
【図１】
0003112786.tif 000003
【図２】
0003112786.tif 000004
(57)【要約】【課題】本考案はボタンを押して開く自動傘が最近増えてきたことに着目して為されたものであって、この押しボタンを施錠することにより傘が開けず盗難防止を図ったものである。従って傘自体に大幅な改造を加えることなく簡易な手段でコストのかからない傘の盗難防止を可能とする。【解決手段】自動開き傘１の押しボタン４に穴５を開け、傘を閉じた状態でこの穴５に錠６の閂を差し込んで施錠するようにした。また前記錠６がダイヤル錠か、または南京錠であり、さらに前記押しボタンの近傍に突片７を設け、この突片７の穴に前記錠６を掛け止めするようにした。【選択図】図１
0003112729.tif 000002
【実用新案登録請求の範囲】
【請求項１】
自動開き傘（１）の押しボタン（４）に穴（５）を開け、傘を閉じた状態でこの穴（５）に錠（６）の閂を差し込んで施錠するようにした傘の盗難防止装置。
【請求項２】
前記錠（６）がダイヤル錠か、または南京錠である請求項１記載の傘の盗難防止装置。
【請求項３】
前記押しボタンの近傍に突片（７）を設け、この突片（７）の穴に前記錠（６）を掛け止めするようにした請求項１記載の傘の盗難防止装置。
【考案の詳細な説明】
【技術分野】
【０００１】
盗難防止装置を施した傘に関する。
【背景技術】
【０００２】
集会所や劇場、展示会場などに設置される投げ込み式の傘立に置いた傘が盗まれないように盗難防止の工夫を施した盗難防止傘が色々と提案されている。例えば特許文献１のものは、傘骨の先端部分を枠体で囲って南京錠で施錠し傘が開けないようにしたものであり、特許文献２のものは、傘の握り部分を取り外せるようにして使用不可とするものであり、特許文献３のものは、傘骨の先を移動可能なダイヤル錠で囲って傘が開けないようにしたものである。
【特許文献１】特開平９ー１８９１６３
【特許文献２】特開平１０ー８５０１６
【特許文献３】特開平２００３−１３８８２４
【考案の開示】
【考案が解決しようとする課題】
【０００３】
本考案はボタンを押して開く自動傘が最近増えてきたことに着目して為されたものであって、この押しボタンを施錠することにより傘が開けず盗難防止を図ったものである。従って傘自体に大幅な改造を加えることなく簡易な手段でコストのかからない傘の盗難防止を可能とする。
【課題を解決するための手段】
【０００４】
本考案は、請求項１記載のように、自動開き傘１の押しボタン４に穴５を開け、傘を閉じた状態でこの穴５に錠６の閂を差し込んで施錠するようにした。また請求項２記載のように、前記錠６がダイヤル錠か、または南京錠であり、請求項３記載のように、前記押しボタンの近傍に突片７を設け、この突片７の穴に前記錠６を掛け止めするようにしたこと等を特徴とする。
【考案の効果】
【０００５】
前述のように構成したから市販の自動開き傘の押しボタンに穴をあけるのみで良い。後は小型のダイヤル錠又は南京錠を購入して穴に錠を掛ければ押しボタンを押し込むことが出来ず傘を開くことが出来ない。また外見でも錠でロックされ使用が出来ないと一見分かるので盗難されることが無い。
【考案を実施するための最良の形態】
【０００６】
本考案は、傘構造に着目して為されたもので大幅な改造を加えずに傘の盗難防止を可能とする。すなわち自動開き傘の押しボタンをロックすることにより傘を開けなくして盗難防止を図ったものである。
【実施例１】
【０００７】
本考案のひとつの実施形態を図面に基づき説明する。図１は本考案の盗難防止装置を施した自動開き傘の開いている状態を示したものである。自動開き傘１は傘の柄２の握り部３近傍に押しボタン４を設けてこの押しボタン４を押すことにより図示しないバネの力で傘が開くようになっている。本考案は、この押しボタン４に穴５を開け、図２のように傘を閉じた状態でこの穴５に錠６の閂を差し込んで施錠するようにする。尚、錠６は図示のようなキーが不要な小型のダイヤル錠でも良いし、南京錠でも良い。またこの押しボタン４の近傍に設けた突片７に穴をあけ、錠が紛失しないようにこの穴に錠を掛けておくようにした。
【図面の簡単な説明】
【０００８】
【図１】本考案の盗難防止装置を施した傘の開いた状態を示す斜視図である。
【図２】傘を閉じた状態を示す図１の要部拡大図である。
【符号の説明】
【０００９】
１  自動開き傘
２  傘の柄
３  握り部
４  押しボタン
５  穴
６  錠
７  突片
【図１】
0003112729.tif 000003
【図２】
0003112729.tif 000004
(57)【要約】【課題】手を触れることなく開閉する壁スイッチを提供する。【解決手段】壁スイッチボックスのセンサー式開閉構造は、スイッチ１、センサー式開閉回路制御板２２及び赤外線送受信モジュール２３等から構成される。スイッチボックス上方には窓２１が貫設され、その後方のボックスカバー内側にセンサー式開閉回路制御板を設置する。そのセンサー式開閉回路制御板上方に赤外線送受信モジュールを固定し、透明板２４でカバーする。この赤外線送受信モジュールはスイッチボックスの窓から外に向けて露出しており、その前に手をかざすと自動センサーによってスイッチ電源の開閉を行う。【選択図】図２
0003112763.tif 000002
【実用新案登録請求の範囲】
【請求項１】
スイッチボックス、センサー式開閉回路制御板及び赤外線送受信モジュール等から構成された壁スイッチボックスのセンサー式開閉構造において、
スイッチボックス上方に窓を貫設し、その後方のボックスカバー内側にセンサー式開閉回路制御板を設置し、そのセンサー式開閉回路制御板上方に赤外線送受信モジュールを固定し、透明板でカバーして、赤外線送受信モジュールがスイッチボックスの窓から外に向けて露出して赤外線送受信するようにしてなることを特徴とする壁スイッチボックスのセンサー式開閉構造。
【考案の詳細な説明】
【技術分野】
【０００１】
本考案は、壁スイッチボックスのセンサー式開閉構造に関するもので、特に人の手をスイッチ面版に一定の距離近づけると、自動的に開閉する機能を具えるものである。
【背景技術】
【０００２】
図１に示すとおり、一般的な壁式切換スイッチ１０の制御方式は、ほとんどが押圧式、切換制御式である。その制御方式は、不便なだけでなく、誰もが直接触れ、押すので、細菌や埃に汚染されやすい。特に病院や人の多い公共機関、デパートなどでは最も細菌の伝染が懸念される。
【特許文献１】特開２００４−５６９０５号公報
【特許文献２】特開２００２−３０２９８３号公報
【考案の開示】
【考案が解決しようとする課題】
【０００３】
解決しようとする問題点は、特に人の多い公共機関などの場所では、皆が手で直接触れるスイッチは衛生的でなく、感染の恐れがある点である。
【課題を解決するための手段】
【０００４】
本考案は、主にスイッチボックス、センサー式開閉回路制御板及び赤外線送受信モジュール等から構成される。スイッチボックス上方には窓が貫設され、その下方のボックスカバー内側にセンサー式開閉回路制御板を設置する。そのセンサー式開閉回路制御板上方に赤外線送受信モジュールを固定し、透明板でカバーする。この赤外線送受信モジュールはスイッチボックスの窓からちょうど外に向けて露出し、自動センサーによって電源の開閉を行うことを最も主要な特徴とする。
【考案の効果】
【０００５】
本考案の壁スイッチボックスのセンサー式開閉構造は、手で触れることなく、手を一定の距離近づけただけで自動的にスイッチが開閉し、細菌の感染を防ぐという利点がある。
【考案を実施するための最良の形態】
【０００６】
図２、３，４に示すとおり、本考案の構造は、主にスイッチボックス２０上方に窓２１が貫設され、その下方のボックスカバー内側にはセンサー式開閉回路制御板２２が設置される。このセンサー式開閉回路制御板２２上方には赤外線送受信モジュール２３が設置され、その上に透明板２４のカバーをする。この赤外線送受信モジュール２３上方には電源指示灯２５及び信号指示灯２６が設置され、それらがスイッチボックス２０の窓２１に位置する。赤外線自動センサーによる開閉によって、使用者が手をスイッチボックス２０の窓２１に設置された赤外線送受信モジュール２３に一定距離近づけると、自動的に電気がついたり、消えたりする機能を具える。
【０００７】
本考案は、赤外線自動センサーにより電源を開閉する手法を壁式スイッチボックス上に応用したもので、一般的な公知のスイッチボックスには、本考案の特徴を具えておらず、全て押圧式切換式である。
【図面の簡単な説明】
【０００８】
【図１】公知の立体図である。
【図２】本考案の分解立体図である。
【図３】本考案の立体図である。
【図４】本考案の回路指示図である。
【符号の説明】
【０００９】
１０        壁スイッチ
２０        スイッチ
２１        窓
２２        センサー式開閉回路制御板
２３        赤外線送受信モジュール
２４        透明板
２５        電源指示灯
２６        信号指示灯
【図１】
0003112763.tif 000003
【図２】
0003112763.tif 000004
【図３】
0003112763.tif 000005
【図４】
0003112763.tif 000006
(57)【要約】      （修正有）【課題】レジ袋を、乾いた手で開ける際の、開けにくさと衛生面の解消等。【解決手段】レジ袋の中央上部に一辺１ｃｍの＋状の切れ目を入れ、図に示したように切れ目の裏側から指をあて、切れ目を押し広げる。【選択図】図５
0003112720.tif 000002
【実用新案登録請求の範囲】
【請求項１】
レジ袋の上部・中央に一辺１ｃｍの＋状の切れ目を入れ、乾いた手では開けにくい、袋の開け口の開きを容易にする工夫を加えたレジ袋
【考案の詳細な説明】
【技術分野】
【０００１】
本考案はレジ袋の開け口の工夫に関する。
【背景技術】
【０００２】
従来はレジ袋を乾いた手で開けるのは容易でではなく、店舗などでは、水を湿らしたスポンジや布で指もぬらしたり、唾を指に着けたりして開けていた
【考案の開示】
【考案が解決しようとする課題】
【０００３】
これでは、手間もかかり，衛生面でも問題がある。
【課題を解決するための手段】
【０００４】
そこで、袋の一部に切れ目を入れて、容易に開けられるようにする
【考案の効果】
【０００５】
よって、本考案により、手間と衛生面の問題を解決できます。
【考案を実施するための最良の形態】
【０００６】
本考案は図1図2で示した、レジ袋の開けにくさの問題点を、図3図4で示した、＋状の切れ目を中央上部に入れることです。
他にも、○や△な□などの穴を開けたりなどして色々試しましたが、前述のような切れ目を入れたほうが開けやすく、大きさの方も、指が触れる面が広すぎても、狭すぎてもだめで、こちらも色々試した結果、１ｃｍが最適な結果が得られる。
【図面の簡単な説明】
【０００７】
【図１】レジ袋
【図２】レジ袋を乾いた手で開ける様子
【図３】レジ袋に切れ目を入れた図
【図４】図3の拡大図
【図５】切れ目の裏側から指をあて、切れ目を押し広げ、指先が出ている図
【図６】表側より指をあて、擦っている図
【図７】擦った結果、レジ袋が簡単に開いた図
【符号の説明】
【０００８】
Ａ  ＋状の切れ目
Ｂ  Ａの拡大した部分(ほぼ実寸１ｃｍ)
【図１】
0003112720.tif 000003
【図２】
0003112720.tif 000004
【図３】
0003112720.tif 000005
【図４】
0003112720.tif 000006
【図５】
0003112720.tif 000007
【図６】
0003112720.tif 000008
【図７】
0003112720.tif 000009
(57)【要約】      （修正有）【課題】額縁自体にこれ迄にない興趣の装飾性を付与して豪華、高級な雰囲気を醸し出すよう演出することのできる新規な額縁を提供する。【解決手段】枠体１と該枠体の前面に位置するように内嵌する透明なガラス板等の前面板２と該前面板の裏側に掲示物を介在させて嵌合する押さえの裏板とをもって構成される額縁において、前面板の表面に花鳥風月、自動車、紋章、その他任意の絵画、文様を基材上に色糸で縫い表してなる刺繍シート３を接着固定した。【選択図】図１
0003112797.tif 000002
【実用新案登録請求の範囲】
【請求項１】
枠体と該枠体の前面に位置するように内嵌する透明なガラス板等の前面板と該前面板の裏側に掲示物を介在させて嵌合する押さえの裏板とをもって構成される額縁において、前面板の表面に花鳥風月、自動車、紋章、その他任意の絵画、文様を基材上に色糸で縫い表してなる刺繍シートを接着固定したことを特徴とする額縁。
【考案の詳細な説明】
【技術分野】
【０００１】  本考案は、写真、絵画等を掲示するために使用される額縁に関するものである。
【背景技術】
【０００２】  従来、写真、絵画等を掲示するために使用されるこの種の額縁は、枠体（フレーム）と該枠体の前面に位置するように内嵌させる透明なガラス板等の前面板と該前面板の裏側に掲示物を介在させて嵌合する押さえの裏板とをもって構成されているが、かかる従来の額縁にあっては、前面板は、単なる透明なガラス板等がそのまま用いられているに過ぎなかった。【０００３】
【特許文献１】実開平６−８１３６５号
【考案の開示】
【考案が解決しようとする課題】
【０００４】  上記した従来の額縁にあっては、その前面の外観は一般にシンプルに定型化されており、額縁に飾り付けを施す如くに豪華、高級な雰囲気を醸し出すように演出することは困難であった。【０００５】  従って、例えば、人物写真に飾り付けを施して豪華、高級な雰囲気を醸し出したいような場合には、別途に豪華な装飾台を設えて、その装飾台に額縁を配置する等の手段を用いていたが、手間を要して煩わしいと共に費用が嵩むものであり不経済であった。【０００６】  本考案は、如上の問題点を解消すべく案出したものであって、額縁自体にこれ迄にない興趣の装飾性を付与して豪華、高級な雰囲気を醸し出すよう演出することのできる新規な額縁を提供することを目的とするものである。
【課題を解決するための手段】
【０００７】  本考案は、枠体と該枠体の前面に位置するよう内嵌する透明なガラス板等の前面板と該前面板の裏側に掲示物を介在させて嵌合する押さえの裏板ともって構成される額縁において、前面板の表面上任意箇所に花鳥風月、自動車、紋章、その他任意の絵画、文様を色糸で基材上に縫い表してなる刺繍シートを接着固定したことを最も主要な特徴とするものである。
【考案の効果】
【０００８】  本考案の額縁は、額縁表面の透明なガラス板等の前面板の表面上任意箇所に刺繍で成形された絵画、文様を顕出させるものであることから、額縁自体をもって看者に刺繍の持つ独特の風合いを直接的に感得させて豪華、高級な雰囲気を醸し出すよう演出することができるという利点がある。
【考案を実施するための最良の形態】
【０００９】  本考案は、豪華、高級な雰囲気を醸し出すよう演出することのできる額縁を提供するという目的を、額縁における透明なガラス板等の前面板の表面上に、別途に製作用意してなる任意の絵画、文様を色糸をもって台材上に縫い表してなる刺繍シートを接着固定することで構造簡単に実現し得て、市場に廉価に提供できる。
【実施例】
【００１０】  以下に、本考案を図示する実施例に基づいて説明するに、図１は本考案額縁の一実施例を示す正面図であって、１は額縁における枠体、２は透明ガラス板等の前面板、３は刺繍シートである。【００１１】  枠体（フレーム）１に内嵌させる透明ガラス板等の前面板２の表面上における任意箇所に刺繍シート３を接着固定している。【００１２】  該刺繍シート３は、絵画、文様を色糸で基材上に縫い表してシート状に成形してなるものであって、その絵画、文様は、花鳥風月をはじめとして、自動車、紋章等任意の形態であってよく、特に限定するものではない。【００１３】  該刺繍シート３を透明なガラス板等の前面板２の表面上に接着固定する箇所は、例えば、掲示物として額縁内に人物写真を入れるような場合にあっては、人物の周りに刺繍シート３を配置することができるように透明なガラス板等の前面板２における中央部を除いた周縁部であることが好適であるが、前面板２におけるその位置を特に限定するものではない。
【産業上の利用可能性】
【００１４】  本考案により額縁における透明なガラス板等の前面板２の表面上に刺繍で成形された絵画、文様を顕出させることによって、額縁自体に刺繍の持つ独特の風合いを直接的に感得させ得る豪華、高級な雰囲気を醸し出すよう演出することができる。【００１５】  また、本考案は、既製一般の額縁に所謂後付けでも実施することができることから、新規製作のみならず現在既に使用中の額縁を含めて如何なる額縁に対しても応用、実施することが可能であり、額縁の利用幅を拡大することができる。
【図面の簡単な説明】
【００１６】
【図１】本考案の実施例を示した正面図である。
【符号の説明】
【００１７】  １    枠体  ２    前面板  ３    刺繍シート
【図１】
0003112797.tif 000003
(57)【要約】【課題】礼拝の対象としての荘厳な宗教的雰囲気を損なうことなく、装飾的効果を発揮する仏壇を提供する。【解決手段】仏壇１の一部に七宝焼片３を取り付けたことを特徴とする仏壇。七宝焼片３は、例えば、仏壇１における厨子扉５、欄間７、大戸１３、厨子欄間９等に取り付けるが、仏壇１におけるこれら以外の部分に取り付けても差し支えない。仏壇１の一部に取り付けられる七宝焼片３は、銅、金、銀、青銅その他の金属等よりなる下地上にガラス質の釉を焼き付けてなるものである。即ち、七宝焼片３は、一例として、金属等の下地の表面に凹部を形成し、該凹部に酸化鉛、酸化コバルト等を含む種々の色のエナメルを埋め、これを熱により溶着させ、種々の模様を形成してなるものである。【選択図】図１
0003112799.tif 000002
【実用新案登録請求の範囲】
【請求項１】
仏壇の一部に七宝焼片を取り付けたことを特徴とする仏壇。
【考案の詳細な説明】
【技術分野】
【０００１】
本考案は、仏壇の一部に七宝焼片を取り付けてなる仏壇に係るものである。
【背景技術】
【０００２】
実用新案登録第３０９９６８２号公報は、枠体にステンドグラス等の装飾ガラスを嵌着してなる仏壇を開示している。
【０００３】
一方、七宝焼は、銅その他の金属等の下地上にガラス質の釉を焼き付けてなるものとして、従来より広く知られている。
【特許文献１】実用新案登録第３０９９６８２号公報
【考案の開示】
【考案が解決しようとする課題】
【０００４】
枠体にステンドグラス等の装飾ガラスを嵌着してなる上記仏壇は、居間等の居住空間に配設するに適した装飾的効果を発揮するという点においては優れたものであるが、礼拝の対象としての荘厳な宗教的雰囲気を有するものではない。
【０００５】
一方、七宝焼は、独特の美しさを備えている。
【０００６】
本考案は、礼拝の対象としての荘厳な宗教的雰囲気を損なうことなく、装飾的効果を発揮する仏壇を提供しようとしてなされたものである。
【課題を解決するための手段】
【０００７】
上記課題を解決するために、本考案は、仏壇の一部に七宝焼片を取り付けたことを特徴とする仏壇を提供するものである。
【考案の効果】
【０００８】
本考案による仏壇は、その一部に七宝焼片を取り付けてなるものであるため、礼拝の対象としての荘厳な宗教的雰囲気を損なうことなく、独特の美しさを備えた七宝焼片による装飾的効果を発揮する。
【考案を実施するための最良の形態】
【０００９】
本考案による仏壇１は、該仏壇の一部に七宝焼片３を取り付けている。換言すれば、本考案による仏壇１は、仏壇と該仏壇の一部に取り付けた単数又は複数の七宝焼片３とよりなるものである。
【００１０】
仏壇１は、形状の如何を問うものではなく、家具調仏壇をも含む。
【００１１】
仏壇１は、厨子を備えているか否かを問うものではない。
【００１２】
仏壇１を形成する材料は、黒檀、紫檀、ナラ、オークその他いかなるものであっても差し支えない。
【００１３】
仏壇１の一部に取り付けられる七宝焼片３は、銅、金、銀、青銅その他の金属等よりなる下地上にガラス質の釉を焼き付けてなるものである。
【００１４】
即ち、七宝焼片３は、一例として、金属等の下地の表面に凹部を形成し、該凹部に酸化鉛、酸化コバルト等を含む種々の色のエナメルを埋め、これを熱により溶着させ、種々の模様を形成してなるものである。
【００１５】
七宝焼片３は、如何なる模様、色彩を有するものであってもよく、例えば、種々の植物をあしらったものも好ましく使用される。
【００１６】
七宝焼片３は、模様の輪郭に銀線を用いた有線七宝であっても、該銀線を用いない無線七宝であってもよい。
【００１７】
また、七宝焼片３は、一例として板状体とするが、形状の如何を問うものではない。
【００１８】
七宝焼片３は、例えば、仏壇１における厨子扉、欄間、大戸、厨子欄間等に取り付けるが、仏壇１におけるこれら以外の部分に取り付けても差し支えない。
【００１９】
図１に示す七宝焼片３ａ、３ａは、それぞれ仏壇１における厨子扉５、５に取り付けられている。図１における七宝焼片３ａ、３ａは、厨子扉５、５の外側表面に取り付けられているが、これらの七宝焼片３ａ、３ａは、厨子扉５、５の内側表面に取り付けても差し支えない。
【００２０】
図１に示す七宝焼片３ｂは、仏壇１における欄間７に取り付けられている。
【００２１】
図２に示す七宝焼片３ｃは、仏壇１における厨子欄間９に取り付けられている。なお、図２において、符号１１に示すものは厨子である。
【００２２】
図３に示す七宝焼片３ｄ、３ｄは、仏壇１における大戸１３、１３に取り付けられている。図３における七宝焼片３ｄ、３ｄは、大戸１３、１３の外側表面に取り付けられているが、これらの七宝焼片３ｄ、３ｄは、大戸１３、１３の内側表面に取り付けても差し支えない。
【図面の簡単な説明】
【００２３】
【図１】本考案による仏壇の一例を示す正面図である。
【図２】本考案による仏壇の別の一例を示す正面図である。
【図３】本考案による仏壇の更に別の一例を示す正面図である。
【符号の説明】
【００２４】
１  仏壇
３  七宝焼片
３ａ  七宝焼片
３ｂ  七宝焼片
３ｃ  七宝焼片
３ｄ  七宝焼片
５  厨子扉
７  欄間
９  厨子欄間
１１  厨子
１３  大戸
【図１】
0003112799.tif 000003
【図２】
0003112799.tif 000004
【図３】
0003112799.tif 000005
(57)【要約】      （修正有）【課題】種々な用途に使用でき、かつ容易に変形可能であって、興趣性、意外性および変化性に富んだ発光飾り具を提供する。【解決手段】透明ないし半透明のプラスチック材料にて柔軟な線材成形物１を形成し、この線材成形物１の全部または一部に蓄光塗料２を付着させてなる。【選択図】図１
0003112703.tif 000002
【実用新案登録請求の範囲】
【請求項１】
透明ないし半透明のプラスチック材料にて柔軟な線材成形物を形成し、この線材成形物の全部または一部に蓄光塗料を付着させたことを特徴とする発光飾り具。
【考案の詳細な説明】
【技術分野】
【０００１】
本考案は、夜間に発行する発光飾り具に関する。
【背景技術】
【０００２】
従来より夜間に発光する蓄光塗料等を表面に塗布した種々な発光飾り具は広く知られている。
【特許文献１】特になし
【考案の開示】
【考案が解決しようとする課題】
【０００３】
しかしながら、従来のこの種発行飾り具は、装飾用として成形された定型物に蓄光塗料等を塗布するだけであるから、用途が限定的であるうえに、定型的な興趣が得られるのみであって、意外性や変化性に乏しいという問題がある。
【０００４】
本考案は、前記した従来の技術が有する問題点を解消するもので、種々な用途に使用でき、かつ容易に変形可能であって、興趣性、意外性および変化性に富んだ発光飾り具を提供することを目的とする。
【課題を解決するための手段】
【０００５】
前記目的を達成するために、本考案に係る発光飾り具は、透明ないし半透明のプラスチック材料にて柔軟な線材成形物を形成し、この線材成形物の全部または一部に蓄光塗料を付着させたことを特徴とする。
【考案の効果】
【０００６】
本考案は、以上のとおり構成されるものであるから、昼間は透明ないし半透明のプラスチック材料自体の色彩を呈し、夜間になると蓄光材料の付着部分から当該プラスチック材料を通して光が放たれるため、きわめて興趣性に富んだインテリア用品、アクセサリー、キーホルダー、ペンダント、玩具、文房具等々に使用するのに好適なものである。
【０００７】
また、柔軟な線材成形物は種々な形態に折込み変形させることが可能なため、パッケージング化は勿論、例えば二つ折り、三つ折り、あるいはまるめる等をして任意の立体的造作物に成形物を作り換えることができ、意外性や変化性を楽しむことができる。
【考案を実施するための最良の形態】
【０００８】
以下、図面を参照して本考案を実施するための最良の一形態を詳細に説明すると、図において示される符号１は、透明ないし半透明のプラスチック材料にて形成された線材成形物である。
【０００９】
プラスチック材料としては、透明ないし半透明のアクリル樹脂、塩化ビニル樹脂、ＡＢＳ樹脂等々、柔軟性を有する素材を使用する。
【００１０】
線材成形物１の形状は、図示例のような動物の図柄の他にあらゆる形態のプラスチック線材よりなる射出成形品にて構成される。
【００１１】
そして、この線材成形物１の裏面にはその全部または一部に蓄光塗料２を付着させてある。
【００１２】
この蓄光塗料２は、図２（ａ）に示すように、線材成形物１の裏面部に凹部１ａを形成し、この凹部１ａ内に図３に示すように注射器３を使って蓄光塗料２を充填することで付着させることができる一方、図１（ｂ）に示すように線材成形物１の裏面を平坦部１ｂとしてこの部分に蓄光塗料２を刷毛等を使ってコーティングあるいは印刷して付着させることもできる。
【００１３】
また、この蓄光塗料２の代りに、あるいはこれに含ませて紫外線を受けて種々の色で発光する無機蛍光体（例えば、蛍光増白剤）を使用することもできる。紫外線を発光するものとしては紫外線ランプ（２５０〜４００ｍｍの長波長紫外線を発するブラックライト）が好適である。
【００１４】
而して、線材成形物１を形成するプラスチック材料に形状記憶合金粉末を混入した形状記憶樹脂を用いることもできる。
【００１５】
これによって柔軟な線材成形物１をまるめる等してコンパクトなパッケージング化が可能となる。したがって、例えば玩具に使用した場合、風呂で暖めることによって元の形状に復帰させるようにして意外性を楽しむことができる。
【００１６】
もとより既述の柔軟な線材成形物１にあっても種々な形態に折込み変形させることが可能であり、これによってパッケージング化は勿論、変形の妙を楽しむことができる。
【００１７】
なお、本考案に係る発光飾り具は、インテリア用品、アクセサリー、キーホルダー、ペンダント、玩具、文房具等々に使用可能である。
【図面の簡単な説明】
【００１８】
【図１】本考案に係る発光飾り具の正面図である。
【図２】（ａ）は線材部分の拡大断面図、（ｂ）は他例を示す同拡大断面図である。
【図３】蓄光塗料を注射器を使って充填、付着させる状態を説明する斜視図である。
【符号の説明】
【００１９】
１    線材成形物
２    蓄光塗料
【図１】
0003112703.tif 000003
【図２】
0003112703.tif 000004
【図３】
0003112703.tif 000005